(57)【要約】  【課題】  洗浄ノズルより食器に向けて洗浄水を噴射して食器を洗浄する食器洗い機において、様々な食器と調理器具を効率よく収容できるようにし、使い勝手を向上する。  【解決手段】  上方に開口部１４を有する洗浄槽１２に配置した食器かご１６に食器１５を収容し、洗浄槽１２を筐体１１に前後方向に移動可能に支持する。食器かご１６は、洗浄槽１２の底部近傍に配置する下かご１７と、この下かご１７に設けた支持部１８に載置した上かご１９とで構成する。【選択図】  図１
2005046301.tif 000002
【特許請求の範囲】
【請求項１】
上方に開口部を有する洗浄槽と、前記洗浄槽内に配置し食器を収容する食器かごと、前記洗浄槽を前後方向に移動可能に支持する筐体とを備え、前記食器かごは、前記洗浄槽の底部近傍に配置する下かごと、この下かごに設けた支持部に載置した上かごとで構成した食器洗い機。
【請求項２】
上かごは、下かごに設けた支持部に載置する際、所定の方向のみ載置できるよう構成した請求項１記載の食器洗い機。
【請求項３】
上かごは、下かごに設けた支持部に対して回転可能とした請求項１または２記載の食器洗い機。
【発明の詳細な説明】
【技術分野】
【０００１】
本発明は、洗浄ノズルより食器に向けて洗浄水を噴射して食器を洗浄する食器洗い機に関する。
【背景技術】
【０００２】
従来、この種の食器洗い機は図６に示すように構成していた。以下、その構成について説明する。
【０００３】
図６に示すように、筐体１は前方に開口部を有するとともに、洗浄槽２を前後方向に移動可能に支持している。洗浄槽２の前方には扉３を取り付けており、筐体１の開口部を開閉する。洗浄槽２は、上方に開口部４を有している。
【０００４】
洗浄槽２内に、洗浄水を噴射する洗浄ノズル５を回転自在に設けるとともに、食器６を収容する食器かご７を配置している。洗浄槽２内の洗浄水はヒータ８によって温水化され、洗浄ポンプ９にて排水口１０から吸い込まれ、洗浄ノズル５に圧送される。洗浄ノズル５より勢いよく噴射される洗浄水によって、食器かご７に収容された食器６を洗浄するように構成している（例えば、特許文献１参照）。
【特許文献１】特開２００１−４６３０７号公報
【発明の開示】
【発明が解決しようとする課題】
【０００５】
しかしながら、このような従来の構成では、食器かご７に収容する食器６の配置、大きさが決められており、使い勝手が悪く、様々な食器、調理器具を収容しようとした場合、非常に困難である。
【０００６】
それは、食器かご７を構成する上かご７ａと下かご７ｂがつながっているため、食器６を収容する際、下かご７ｂには上かご７ａまでの大きさの食器６しか収容することができず、収容できる食器６の大きさに制約があった。このため、食器洗い機として、特に前準備における食器かご７への食器６の収容に時間がかかり、様々な食器６の形状、調理器具等の収容条件に制約ができることになる。
【０００７】
本発明は上記従来の課題を解決するもので、様々な食器と調理器具を効率よく収容できるようにし、使い勝手を向上することを目的としている。
【課題を解決するための手段】
【０００８】
本発明は上記目的を達成するために、上方に開口部を有する洗浄槽に配置した食器かごに食器を収容し、洗浄槽を筐体に前後方向に移動可能に支持するよう構成し、食器かごは、洗浄槽の底部近傍に配置する下かごと、この下かごに設けた支持部に載置した上かごとで構成したものである。
【０００９】
これにより、様々な食器と調理器具を効率良く収容することができ、使い勝手を向上することができる。
【発明の効果】
【００１０】
以上のように本発明の請求項１に記載の発明によれば、上方に開口部を有する洗浄槽に配置した食器かごに食器を収容し、洗浄槽を筐体に前後方向に移動可能に支持するよう構成し、食器かごは、洗浄槽の底部近傍に配置する下かごと、この下かごに設けた支持部に載置した上かごとで構成したから、様々な食器と調理器具を効率良く収容することができ、使い勝手を向上することができる。
【発明を実施するための最良の形態】
【００１１】
本発明の請求項１に記載の発明は、上方に開口部を有する洗浄槽と、前記洗浄槽内に配置し食器を収容する食器かごと、前記洗浄槽を前後方向に移動可能に支持する筐体とを備え、前記食器かごは、前記洗浄槽の底部近傍に配置する下かごと、この下かごに設けた支持部に載置した上かごとで構成したものであり、大きな食器、調理器具などを収容するときは上かごを取り外すことで、下かごに収容することができ、小さい食器を収容するときは上かごを配置することで、上かごと下かごに多くの食器を収容することができ、様々な食器と調理器具を効率よく収容することができ、使い勝手を向上することができる。
【００１２】
請求項２に記載の発明は、上記請求項１に記載の発明において、上かごは、下かごに設けた支持部に載置する際、所定の方向のみ載置できるよう構成したものであり、上かごを下かごに対して常に所定の方向に載置できるため、上かごに配置する食器を所定の位置、角度では位置することができ、常に安定した洗浄性能を得ることができる。
【００１３】
請求項３に記載の発明は、上記請求項１または２に記載の発明において、上かごは、下かごに設けた支持部に対して回転可能としたものであり、上かごを支持部により支持した状態で、上かごを回転させることで、上かごを取り外さなくても、下かごに容易に食器を収容することができる。
【実施例１】
【００１４】
以下、本発明の一実施例について、図面を参照しながら説明する。
【００１５】
図１に示すように、筐体１１は前方に開口部を有するとともに、洗浄槽１２を前後方向に移動可能に支持している。洗浄槽１２の前方には扉１３を取り付けており、筐体１１の開口部を開閉する。洗浄槽１２は、上方に開口部１４を有している。
【００１６】
洗浄槽１２内に、食器１５を収容する食器かご１６を配置している。食器かご１５は、図２に示すように、洗浄槽１２の底部近傍に配置する下かご１７と、この下かご１７に設けた支持部１８に載置可能な上かご１９とで構成している。下かご１７は、周端部を洗浄槽１２に設けた下かご支持部２０により支持している。
【００１７】
支持部１８は、下がご１７の両側に設けた１対の支持部材２１ａ、２１ｂで構成し、支持部材２１ａ、２１ｂに、それぞれ上かご載置部２２ａ、２２ｂと回転支持部２３ａ、２３ｂを設けている。上かご１９は、回転支持部２３ａ、２３ｂに回転自在に支持する支持軸２４ａ、２４ｂと、上かご載置部２２ａ、２２ｂに載置する載置部２５ａ、２５ｂを設け、上かご１９を二点鎖線で示すように、支持部１８上に載置できるようにしている。
【００１８】
ここで、支持部材２１ｂに曲折部２６を設け、上かご載置部２２ａ、２２ｂ間の間隔が回転支持部２３ａ、２３ｂ間の間隔より広くなるようにし、上かご１９を支持部１８に載置する際、所定の方向のみ載置できるよう構成している。
【００１９】
上記構成において作用を説明する。皿、椀類などの大形の食器とコップ、湯呑などの小型の食器を洗浄する場合は、図１の二点鎖線で示すように、洗浄槽１２を引き出した状態で、下かご１７に皿、椀類などの食器１５を収容し、その後、上かご１９にコップ、湯呑などの食器１５を収容し、上かご１９を下かご１７に設けた支持部１８で支持し洗浄する。これにより、上かご１９と下かご１７に多くの食器１５を収容することができ、様々な食器を効率良く収容し、洗浄することができる。
【００２０】
つぎに、図３に示すように、皿、椀類などの大形の食器１５と調理器具２７を洗浄する場合は、上かご１９を取り外した状態で、下かご１７に皿、椀類などの食器１５と調理器具２７を収容し洗浄する。これにより、皿、椀類などの大形の食器１５と調理器具２７を洗浄するときは上かご１９を取り外すことで、下かご１７に収容することができ、様々な食器１５と調理器具２７を効率良く収容し、洗浄することができ、使い勝手を向上することができる。
【００２１】
また、上かご１９は、下かご１７に設けた支持部１８に載置して支持しているので、構造簡単で、確実に上かご１９を支持することができる。
【００２２】
ここで、支持部材２１ｂに曲折部２６を設け、上かご載置部２２ａ、２２ｂ間の間隔が回転支持部２３ａ、２３ｂ間の間隔より広くなるようにし、上かご１９を支持部１８に載置する際、所定の方向のみ載置できるよう構成しているのて、図４に示すように、上かご１９を１８０゜回転させた方向に載置しようとすると、支持軸２４ｂを上かご載置部２２ａに載置した状態で、支持軸２４ａは、二点鎖線で示すように、上かご載置部２２ｂに載置できないため、この状態では、上かご１９を支持部１８に載置することができず、図２に示す方向のみ上かご１９を支持部１８に載置することができる。
【００２３】
また、支持部材２１ａ、２１ｂに回転支持部２３ａ、２３ｂを設け、上かご１９に設けた支持軸２４ａ、２４ｂを回転支持部２３ａ、２３ｂに回転自在に支持するよう構成しているので、図５の二点鎖線で示すように、上かご１９を回転させることで、上かご１９を取り外さなくても、下かご１７に容易に食器１５を収容することができる。
【００２４】
このように本実施例によれば、食器かご１６は、洗浄槽１２の底部近傍に配置する下かご１７と、この下かご１７に設けた支持部１８に載置した上かご１９とで構成したので、様々な食器１５と調理器具２７を効率良く収容することができ、使い勝手を向上することができる。
【００２５】
また、上かご１９は、下かご１７に設けた支持部１８に載置する際、所定の方向のみ載置できるよう構成したので、上かご１９を下かご１７に対して常に所定の方向に載置できるため、上かご１９に配置する食器１５を所定の位置、角度では位置することができ、常に安定した洗浄性能を得ることができる。
【００２６】
また、上かご１９は、下かご１７に設けた支持部１８に対して回転可能としたので、上かご１９を支持部１８により支持した状態で、上かご１９を回転させることで、上かご１９を取り外さなくても、下かご１７に容易に食器１５を収容することができる。
【図面の簡単な説明】
【００２７】
【図１】本発明の一実施例の食器洗い機の上かごを設置した状態の断面図
【図２】同食器洗い機の食器かごの拡大分解斜視図
【図３】同食器洗い機の上かごを取り外した状態の断面図
【図４】同食器洗い機の食器かごの上かごを方向を変えて載置する状態の要部拡大分解斜視図
【図５】同食器洗い機の食器かごの上かごを回転可能な状態の拡大分解斜視図
【図６】従来の食器洗い機の断面図
【符号の説明】
【００２８】
１１  筐体
１２  洗浄槽
１４  開口部
１５  食器
１６  食器かご
１７  下かご
１８  支持部
１９  上かご
【図１】
2005046301.tif 000003
【図２】
2005046301.tif 000004
【図３】
2005046301.tif 000005
【図４】
2005046301.tif 000006
【図５】
2005046301.tif 000007
【図６】
2005046301.tif 000008